(57)【特許請求の範囲】
【請求項１】
開口部に固定されるガイド枠（５）と、ガイド枠（５）とドア（１）とを連結する牽制棒（６）と、ガイド枠（５）に設けたガイド穴（９）に沿って牽制棒（６）と共にスライド移動するスライドピン（７）と、ドア開放位置においてスライドピン（７）をロック固定するロック機構とを備えており、
ロック機構は、ガイド枠（５）に装着されるケース（１５）と、ケース（１５）に揺動可能に軸支される前後一対のキャッチ体（１６）と、一対のキャッチ体（１６）の間に配置されて、両キャッチ体（１６）どうしをピン捕捉方向へ揺動付勢する圧縮コイル形のばね（１７）とを含み、
両キャッチ体（１６）は、スライドピン（７）の周面を前後に挟持する捕捉位置と、スライドピン（７）の離脱を許す捕捉解除位置とに往復変位でき、
ドア（１）の開放動作に連動して、スライドピン（７）がばね（１７）の付勢力に抗しながらキャッチ体（１６）の間に進入して係合捕捉されており、
ケース（１５）が、前後壁（２１）とガイド枠（５）にボルト（２３）で固定されるベース壁（２２）とで断面コ字状に形成した第１ケース（１９）と、前後壁（２１）に橋絡されてベース壁（２２）と対向する蓋壁（２５）を含む第２ケース（２０）とで構成されており、
第１・第２の両ケース（１９・２０）は、ベース壁（２２）と蓋壁（２５）とがボルト（２７）とナット（２８）とで締結固定されており、
ボルト（２７）の操作頭部（２７ａ）をガイド穴（９）に係合して、ケース（１５）が操作頭部（２７ａ）を介してガイド穴（９）で回り止めされているドアの煽り止め。
【請求項２】
キャッチ体（１６）が、断面コ字状の基枠部（３０）と、基枠部（３０）から横向きに突出される係合アーム（３１）とを一体に備えたプレス金具からなり、
係合アーム（３１）に、スライドピン（７）の周面を前後に挟持する係合凹部（３３）と、係合凹部（３３）に連続して外拡がり状に延びるスライドピン（７）用の導入案内部（３４）とが設けられており、
一対の基枠部（３０）の一部どうしが接当して、一対の係合アーム（３１）の最小対向間隔をスライドピン（７）の直径寸法より僅かに小さく保持している請求項１記載のドアの煽り止め。  
【発明の詳細な説明】
【０００１】
【発明の属する技術分野】
この発明は、配電盤、分電盤などのキュービクル、あるいは通信中継設備などの電気機器収容設備のドアに適用される煽り止めに関する。
【０００２】
【従来の技術】
電気機器類を収容する目的で使用される配電盤等においては、内部機器の点検を定期的に行い、あるいは故障した機器の交換などを行うが、その頻度は極めて少ない。そのため、この種の設備に適用されるドアは鋼板で頑丈に形成され、単に揺動開閉でき、施錠できるだけの極めて簡素な構造とすることが多い。ドア錠やドアヒンジなどの付属部品に対しても、頑丈で低コストであることのみが要求される。この発明の煽り止めに関して、特開平３−８９９０号公報の扉ストッパー装置が公知である。そこでは戸枠側に固定したガイド枠とドアとをステーで連結している。ガイド枠には長穴が設けてあり、ステーはドア開閉時に長穴に沿ってスライドできる。ドアが閉じ位置から９０度開いた状態において、ステーに同行するピンを板ばね製のストッパーで係合保持することも開示してある。ストッパーにはピンの突端を係合捕捉する部分球面状の凹部が設けてある。
【０００３】
【発明が解決しようとする課題】
かかる従来のストッパー装置は、ドアが所定の開放角度を越えて過剰に開放されるのを規制できるが、ドアの閉じ動作を規制することはできない。そのため、ドアが風を受けて閉じ揺動することがある。板ばね製のストッパーを付加するとドアを開放位置に位置保持できるが、ドアが突風を受けたような場合に、ストッパーとピンとの係合状態が簡単に解除されるおそれがあり、確実さと安全性に欠ける。対向配置した一対の板ばねでピンを抱持状に係合捕捉すると、ピンの離脱をある程度は抑止できる。しかし、板ばねは成形時の形状のばらつきによって、発生し得るばね力にばらつきを生じやすいうえ、経時的にばね力が減少する不利もある。重量が異なるドアに煽り止めを共通して適用する場合には、ばね力の異なる専用の板ばねを用意する必要があるが、そのためには加工用の金型を大きさや形の異なる板ばねごとに用意する必要があり製作コストが高く付く。
【０００４】
例えば、住宅用や高層ビル用に用意された、ロック機構付きの窓用の煽り止めを使用すると、先のようにドアが突風を受けて急激に閉じ揺動するのを確実に防止できる。しかし、この種の煽り止めは構造が複雑でコストが高く付くうえ、いたずら防止のためにロック解除操作をわざと複雑化してあることが多いので、ロック機構のロック解除操作が面倒である。
【０００５】
この発明の目的は、ドアを開放位置において弾性的に係合捕捉できるうえ、常に安定した力でドアを閉止保持できる、電気機器収容設備のドアに好適な煽り止めを提供することにある。この発明の目的は、煽り止めを重量が異なる複数種のドアに共通して適用でき、その際にドア重量に応じて用意されるばね部品を低コストで調達でき、従ってドア重量に応じて用意される煽り止めのコストのばらつきを、無視できる程度にまで小さくできる、電気機器収容設備のドアに好適な煽り止めを提供することにある。この発明の目的は、全体構造を簡素化してその分だけ煽り止めを低コスト化できるうえ、上下・左右のいずれの勝手違いにも対応できる、電気機器収容設備のドアに好適な煽り止めを提供することにある。
【０００６】
【課題を解決するための手段】
この発明の煽り止めは、開口部に固定されるガイド枠５と、ガイド枠５とドア１とを連結する牽制棒６と、ガイド枠５に設けたガイド穴９に沿って牽制棒６と共にスライド移動するスライドピン７と、ドア開放位置においてスライドピン７をロック固定するロック機構とを備えている。ロック機構は、ガイド枠５に装着されるケース１５と、ケース１５に揺動可能に軸支される前後一対のキャッチ体１６と、一対のキャッチ体１６の間に配置されて、両キャッチ体１６どうしをピン捕捉方向へ揺動付勢する圧縮コイル形のばね１７とを含む。両キャッチ体１６は、スライドピン７の周面を前後に挟持する捕捉位置と、スライドピン７の離脱を許す捕捉解除位置とに往復変位できる。ドア１の開放動作に連動して、スライドピン７がばね１７の付勢力に抗しながらキャッチ体１６の間に進入して係合捕捉される。ケース１５は、前後壁２１とガイド枠５にボルト２３で固定されるベース壁２２とで断面コ字状に形成した第１ケース１９と、前後壁２１に橋絡されてベース壁２２と対向する蓋壁２５を含む第２ケース２０とで構成する。第１・第２の両ケース１９・２０は、ベース壁２２と蓋壁２５とがボルト２７とナット２８とで締結固定する。第１ケース１９のベース壁２２は、ガイド穴９に挿通したボルト２３でガイド枠５に締結固定する。ボルト２７の操作頭部２７ａをガイド穴９に係合して、ケース１５を操作頭部２７ａを介してガイド穴９で回り止めする。
【０００７】
上記のキャッチ体１６は、断面コ字状の基枠部３０と、基枠部３０から横向きに突出される係合アーム３１とを一体に備えたプレス金具からなる。係合アーム３１に、スライドピン７の周面を前後に挟持する係合凹部３３と、係合凹部３３に連続して外拡がり状に延びるスライドピン７用の導入案内部３４とを設ける。一対の基枠部３０の一部どうしが接当して、一対の係合アーム３１の最小対向間隔をスライドピン７の直径寸法より僅かに小さく保持できるようにする。
【０００９】
【発明の作用効果】
この発明では、ガイド枠５にロック機構を設けておき、ドア開放位置においてスライドピン７をロック機構で弾性的に係合捕捉するので、開放状態のドア１を確実に固定保持でき、従来のこの種のストッパー装置に比べて、確実さと安全性が向上し、メンテナンス部品の搬入や、交換機器の搬出などの作業を安全に行える。重量が異なる複数種のドアに煽り止めを共通して適用する際には、ドア重量に応じてばね力の異なるばね１７を用意するが、一対のキャッチ体１６を圧縮コイル形のばね１７でピン捕捉方向へ揺動付勢するので、仕様の異なるばね１７を低コストで調達でき、従ってドア重量に応じて用意される煽り止めのコストのばらつきを無視できる程度にまで小さくして、製作コストの均一化を実現できる。
【００１０】
ロック機構は、ケース１５と、ケース１５内に組まれるキャッチ体１６およびばね１７等で構成するが、板ばねでスライドピンを直接捕捉する場合に比べて、ばらつきのない安定した捕捉力でスライドピン７を捕捉できるうえ、住宅用や高層ビル用に用意された、ロック機構付きの窓用の煽り止めに比べて、煽り止めの構造を著しく簡素化できる。従って、その製作コストを減少でき、電気機器収容設備のドア１に適用するのに好適な安価な煽り止めが得られる。ドア１を閉じ操作するときは、ドア１をばね１７の付勢力に抗して閉じ操作し、スライドピン７を係合凹部３３から離脱操作するだけで、簡単にロック解除できるので、より簡単な操作でドア１を開閉できる。ロック体１５のガイド枠５に対する装着位置を変更することによって、煽り止めを右用と左用とに仕様変更できるうえ、上下の勝手違いにも対応できるので、一種の煽り止めを用意しておくだけで、上下・左右の勝手違いに対応でき、その分煽り止めをより低コストで提供できる。ロック体１５のガイド枠５に対する固定位置を変更することにより、ドア１の全開角度を任意に変更できるので、周囲の建物との関係でドア１の開放角度を変更調整するなど、配電盤等の設置現場の状況に柔軟に対応できる。
【００１１】
基枠部３０と係合アーム３１とを一体に備えたプレス金具でキャッチ体１６を構成し、係合アーム３１に、スライドピン７を挟持する係合凹部３３と、スライドピン７用の導入案内部３４とを設けた煽り止めによれば、スライドピン７を導入案内部３４で受け止めながら係合凹部３３側へ移行案内できるので、スライドピン７の係合凹部３３への係合動作を抵抗なく滑らかに行える。また、一対の基枠部３０どうしを接当させて、一対の係合アーム３１の最小対向間隔をスライドピン７の直径寸法より僅かに小さく保持しておくと、スライドピン７の離脱を良く防止しながら、係合アーム３１の係合抵抗を小さくして、スライドピン７のロック機構に対する係脱動作を円滑に行える。
【００１２】
第１・第２の両ケース１９・２０でケース１５を構成し、両ケース１９・２０を締結するボルト２７の操作頭部２７ａをガイド穴９に係合して、ケース１５を六角形の操作頭部２７ａを介してガイド穴９で回り止めする煽り止めによれば、両ケース１９・２０用のボルト２７を利用してケース１５の回り止めを図ることができるので、長期使用時にケース１５が位置ずれし、あるいはドア１が急激に開放されるような場合にもケース１５がずれ動くのを防止して、煽り止めを常に適正に使用できる。
【００１３】
【実施例】
図１ないし図６は、この発明に係る煽り止めの実施例を示す。煽り止めは、例えば図２に示すような配電盤に適用されて、前面の開口部を開閉するドア１を開放位置において自動ロックして開放状態を維持し続ける。ドア１は上下一対のピボットヒンジ２で揺動開閉可能に支持されており、その内面上部と開口部との間に煽り止めが設けられる。符号３は錠である。
【００１４】
図３ないし図５において煽り止めは、開口部に固定されるガイド枠５と、ガイド枠５とドア１とを連結する牽制棒６と、ロック機構などで構成する。牽制棒６は帯板状のプレス金具からなり、その一端がスライドピン７を介してガイド枠５と連結され、他端が連結ピン８を介してドア１に連結してある。連結ピン８はドア内面に設けた座板に固定してある。
【００１５】
図４においてガイド枠５は、断面Ｌ字状の枠体からなり、その水平壁に左右横長のガイド穴９を通設し、垂直壁を開口部に固定する。スライドピン７は、丸軸からなり、その下部に他より小径のスライド軸部１０を有し、スライド軸部１０の下端をガイド枠５の上面側からガイド穴９に挿通して牽制棒６にかしめ固定することにより、牽制棒６をガイド枠５に連結している。ドア１の開放時には、図３に想像線で示すように、牽制棒６がドア１に同行して屋外側へ引き出されるので、スライドピン７は図３においてガイド穴９を左端から右端へ向かってスライド移動する。
【００１６】
ロック機構は、ガイド枠５の右側下面に組み付けられるケース１５と、ケース１５内に収容されて前後揺動可能に軸支される一対のキャッチ体１６と、キャッチ体１６の間に配置されて、両アーム１６どうしをピン捕捉方向へ揺動付勢する圧縮コイル形のばね１７とからなる。
【００１７】
図４においてケース１５は、それぞれプレス成形品からなる第１ケース１９と第２ケース２０とを蓋合わせ状に組んで箱状に形成する。第１ケース１９は、前後壁２１とベース壁２２とで断面コ字状に形成してあり、ベース壁２２をガイド穴９の下方から挿通したボルト２３とナット２４とでガイド枠５に締結固定する。ナット２４はベース壁２２の上面に溶接してある。第２ケース２０は、前後壁２１の上端を橋絡してベース壁２２と対向する蓋壁２５と、蓋壁２５に連続して前後壁２１の間に嵌り込む側壁２６とを有する。第１・第２の両ケース１９・２０は、上下に対向するベース壁２２と蓋壁２５とを下面側から挿通するボルト２７とナット２８で締結固定して一体化される。ボルト２７の操作頭部２７ａはガイド穴９に係合されて回り止め保持され、同時にケース１５がボルト２３を中心にして回動しようとするのを阻止している。なお、ロック機構は予め組み立てた状態で出荷するので、施工時にはケース１５を所定位置に位置決めしたうえで、ボルト２３をナット２４にねじ込むだけでよい。
【００１８】
キャッチ体１６は、断面コ字状の基枠部３０と、基枠部３０に連続して横向きに突設される係合アーム３１とを一体に備えたプレス成形品からなり、基枠部３０の内面にばね受ピン３２がかしめ固定されている（図１参照）。係合アーム３１には、スライドピン７の周面を前後に挟持捕捉する係合凹部３３と、係合凹部３３に連続して外拡がり状に延びる導入案内部３４とが設けられている。基枠部３０どうしを互い違い状に組み、受ピン３２の間にばね１７を配置した状態で、基枠部３０どうしをカラー３５を介してボルト（軸）２７で軸支することによって、各キャッチ体１６はボルト２７を中心にして前後方向へ揺動でき、しかも、ばね１７の付勢力に抗して拡開揺動できる。スライドピン７がロック機構から分離した状態においては、基枠部３０の前後遊端どうしが相手方の縦壁で受け止められて、それ以上導入案内面３４どうしが接近するのを阻止している。この位置を捕捉位置とし、スライドピン７の離脱を許す位置を捕捉解除位置（図６に実線で示す状態）としている。
【００１９】
ドア１を閉じた状態から開放操作すると、スライドピン７が牽制棒６に同行してガイド穴９に沿ってスライド移動する。ドア１が開放限界近くまで開放されると、図６に示すようにスライドピン７が係合アーム３１の導入案内部３４と接当し、ばね１７の付勢力に抗してキャッチ体１６を拡開操作する。さらにドア１を開放操作することにより、導入案内部３４と係合凹部３３との境界部分をスライドピン７が通過すると、キャッチ体１６がばね１７の付勢力を受けて捕捉位置側へ復帰揺動し、図１に示すように一対の係合凹部３３がスライドピン７の周面を挟持捕捉して、ライドピン７をロック保持する。このときキャッチアーム１６は捕捉位置より僅かに拡開している。従って、ドア１に風が吹き付けるような場合にも、ドア１を開放状態に維持し続けることができる。なお、この実施例では、全開放状時のドア１の開き角度は、閉じ位置から１００度とした。ドア１を閉じ操作するときは、ドア１の先端を掴んで閉じ方向へ揺動操作し、スライドピン７をばね１７の付勢力に抗して係合凹部３３から強制的に離脱させる。
【００２０】
この実施例の煽り止めは、右勝手に対応したものであるが、ロック機構のガイド枠５に対する装着位置を右端から左端へ変更することによって、左勝手用の煽り止めとして仕様を変更でき、同様の仕様変更を行うことにより、ドア１の下部と開口部との間に煽り止めを配置する場合にも、支障なく適用できる。つまり、一種の煽り止めを用意しておくだけで、上下・左右の勝手違いに対応できる。
【００２１】
煽り止めは、ロック機構をガイド枠５の上面側に配置して使用することができる。ケース１５やキャッチ体１６はプラスチック成形品で形成してもよく、その場合のケース１５は、側面とガイド枠５への取付面とが開口する箱状に形成することができる。キャッチ体１６を軸支する軸２７は、ケース１５にかしめ固定される軸や、リベットに換えることができ、ボルトである必要はない。
【図面の簡単な説明】
【図１】ロック機構の横断平面図である。
【図２】配電盤の斜視図である。
【図３】煽り止めの平面図である。
【図４】煽り止めの分解斜視図である。
【図５】煽り止めの側面図である。
【図６】ロック機構の動作を示す断面図である。
【符号の説明】
１  ドア
５  ガイド枠
６  牽制棒
７  スライドピン
９  ガイド穴
１５  ケース
１６  キャッチ体
１７  ばね
１９  第１ケース
２０  第２ケース
２１  前後壁
２２  ベース壁
２３  ボルト
２４  ナット
２５  蓋壁
２７  ボルト
３０  基枠部
３１  係合アーム
３３  係合凹部
３４  導入案内部
【図１】
0004685285.tif 000002
【図２】
0004685285.tif 000003
【図３】
0004685285.tif 000004
【図４】
0004685285.tif 000005
【図５】
0004685285.tif 000006
【図６】
0004685285.tif 000007